(57)【特許請求の範囲】
【請求項１】
放送信号を受信し、これを復調して番組信号を出力するチューナ部と、
前記チューナ部からの番組信号を記録可能な記録部と、
前記記録部で記録した番組信号を再生可能な再生部と、
前記記録部の記録処理による記録傾向と、前記再生部の再生処理による再生傾向との少なくとも一方を用いて嗜好情報を生成可能な嗜好検出部と、
前記嗜好検出部で生成された嗜好情報に応じて、前記記録部により記録された複数のタイトルの中から、一部のタイトルを推薦するべく、その一部のタイトルを表示するように制御するもので、前記再生部でまだ再生していないシリーズのタイトルをまとめて１タイトルとして表示するように制御する再生推薦部とを具備し、
前記再生傾向は、「タイトルの放送時間」と「タイトルの実際の録画時間」のうちの少なくとも一方と、「タイトルの総視聴時間」を用いて求められる電子機器。
【請求項２】
放送信号を受信し、これを復調して番組信号を出力するチューナ部と、
前記チューナ部からの番組信号を記録可能な記録部と、
前記放送信号の予約録画情報を生成し、当該予約録画情報に基づいて前記チューナ部及び前記記録部を制御して、前記番組信号の予約録画を行なわせる予約管理部と、
前記記録部で記録した番組信号を再生可能な再生部と、
前記予約管理部での予約録画情報に基づく予約録画制御を含めた前記記録部の記録処理による記録傾向と、前記再生部の再生処理による再生傾向との少なくとも一方を用いて嗜好情報を生成可能な嗜好検出部と、
前記嗜好検出部で生成された、前記予約管理部の予約録画処理による録画傾向を含む嗜好情報に応じて、前記記録部により記録された複数のタイトルの中から、一部のタイトルを推薦するべく、その一部のタイトルを表示するように制御するもので、前記再生部でまだ再生していないシリーズのタイトルをまとめて１タイトルとして表示するとともに、推薦の対象とするタイトルを、自動的に削除することが設定されているタイトルに限定する再生推薦部と、
を具備する電子機器。
【請求項３】
放送信号を受信し、これを復調して番組信号を出力するチューナ部と、
前記チューナ部からの番組信号を記録可能な記録部と、
前記放送信号の予約録画情報を生成し、当該予約録画情報に基づいて前記チューナ部及び前記記録部を制御して、前記番組信号の予約録画を行なわせる予約管理部と、
前記記録部で記録した番組信号を再生可能な再生部と、
前記予約管理部での予約録画情報に基づく予約録画制御を含めた前記記録部の記録処理による記録傾向と、前記再生部の再生処理による再生傾向との少なくとも一方を用いて嗜好情報を生成可能な嗜好検出部と、
前記嗜好検出部で生成された、前記予約管理部の予約録画処理による録画傾向を含む嗜好情報に応じて、前記記録部により記録された複数のタイトルの中から、一部のタイトルを推薦するべく、その一部のタイトルを表示するように制御するもので、前記再生部でまだ再生していないシリーズのタイトルをまとめて１タイトルとして表示するとともに、前記再生部が最後に再生した時点からの経過時間が所定値以上のタイトルを、前記経過時間の長い順に表示する再生推薦部と、
を具備する電子機器。
【請求項４】
放送信号を受信し、これを復調して番組信号を出力するチューナ部と、
前記チューナ部からの番組信号を記録可能な記録部と、
前記放送信号の予約録画情報を生成し、当該予約録画情報に基づいて前記チューナ部及び前記記録部を制御して、前記番組信号の予約録画を行なわせる予約管理部と、
前記記録部で記録した番組信号を再生可能な再生部と、
前記予約管理部での予約録画情報に基づく予約録画制御を含めた前記記録部の記録処理による記録傾向と、前記再生部の再生処理による再生傾向との少なくとも一方を用いて嗜好情報を生成可能な嗜好検出部と、
前記嗜好検出部で生成された、前記予約管理部の予約録画処理による録画傾向を含む嗜好情報に応じて、前記記録部により記録された複数のタイトルの中から、一部のタイトルを推薦するべく、その一部のタイトルを表示するように制御するもので、前記再生部でまだ再生していないシリーズのタイトルをまとめて１タイトルとして表示するとともに、前記再生部で途中まで再生したシリーズを推薦する際に、再生したタイトルの次回のタイトルを表示する再生推薦部と、
を具備する電子機器。
【請求項５】
放送信号を受信し、これを復調して番組信号を出力するチューナ部と、
前記チューナ部からの番組信号を記録可能な記録部と、
前記放送信号の予約録画情報を生成し、当該予約録画情報に基づいて前記チューナ部及び前記記録部を制御して、前記番組信号の予約録画を行なわせる予約管理部と、
前記記録部で記録した番組信号を再生可能な再生部と、
前記予約管理部での予約録画情報に基づく予約録画制御を含めた前記記録部の記録処理による記録傾向と、前記再生部の再生処理による再生傾向との少なくとも一方を用いて嗜好情報を生成可能な嗜好検出部と、
前記嗜好検出部で生成された、前記予約管理部の予約録画処理による録画傾向を含む嗜好情報に応じて、前記記録部により記録された複数のタイトルの中から、一部のタイトルを推薦するべく、その一部のタイトルを表示するように制御するもので、前記再生部でまだ再生していないシリーズのタイトルをまとめて１タイトルとして表示するとともに、フォルダ状のアイコンを選択することにより、再生を推薦するリストを表示する再生推薦部と、
を具備する電子機器。
【請求項６】
放送信号を受信し、これを復調して番組信号を出力するチューナ部と、
前記チューナ部からの番組信号を記録可能な記録部と、
前記放送信号の予約録画情報を生成し、当該予約録画情報に基づいて前記チューナ部及び前記記録部を制御して、前記番組信号の予約録画を行なわせる予約管理部と、
前記記録部で記録した番組信号を再生可能な再生部と、
前記予約管理部での予約録画情報に基づく予約録画制御を含めた前記記録部の記録処理による記録傾向と、前記再生部の再生処理による再生傾向との少なくとも一方を用いて嗜好情報を生成可能な嗜好検出部と、
前記嗜好検出部で生成された、前記予約管理部の予約録画処理による録画傾向を含む嗜好情報に応じて、前記記録部により記録された複数のタイトルの中から、一部のタイトルを推薦するべく、その一部のタイトルを表示するように制御するもので、前記再生部でまだ再生していないシリーズのタイトルをまとめて１タイトルとして表示するとともに、フォルダ状の複数のアイコンを選択可能に表示し、前記複数のアイコン毎に異なる基準により再生すべきタイトルを推薦する再生推薦部と、
を具備する電子機器。
【請求項７】
前記再生推薦部は、前記再生部でまだ再生していないシリーズを推薦する際に、その第１話のタイトルを表示する請求項１乃至６いずれかに記載の電子機器。
【請求項８】
前記再生推薦部は、前記再生傾向が所定値以下のタイトルを推薦する請求項１乃至６いずれかに記載の電子機器。
【請求項９】
前記再生推薦部は、前記再生傾向が所定値以上のタイトルを前記再生傾向の程度が高い順に表示する請求項１乃至６いずれかに記載の電子機器。
【請求項１０】
前記再生推薦部は、推薦度の高い順にリストを作成する請求項１乃至６いずれかに記載の電子機器。
【請求項１１】
前記再生推薦部は、前記表示したタイトルに関して推薦する程度を併せて表示する請求項１乃至６いずれかに記載の電子機器。
【請求項１２】
前記嗜好検出部は、嗜好情報として嗜好データベースを持ち、単語とその単語の嗜好ポイント、ジャンルとそのジャンルの嗜好ポイントを保持する請求項１乃至６いずれかに記載の電子機器。
【請求項１３】
前記嗜好検出部は、前記タイトルの中や前記タイトルの詳細の中にある単語が嗜好データベース中にあり、その嗜好データベース中の単語のポイントをカウントすることにより前記嗜好情報を生成する請求項１乃至６いずれかに記載の電子機器。
【請求項１４】
前記嗜好検出部は、前記タイトルが属するジャンルが嗜好データベース中にあり、その嗜好データベース中のジャンルのポイントをカウントすることにより前記嗜好情報を生成する請求項１乃至６いずれかに記載の電子機器。
【請求項１５】
チューナ部で復調した番組信号を記録処理し、
前記記録処理した番組信号を再生処理し、
予約録画情報に基づく予約録画制御を含めた前記記録処理の記録傾向と前記再生処理による再生傾向との少なくとも一方を用いて嗜好情報を生成処理し、
前記予約録画による録画傾向を含む前記生成処理された嗜好情報に応じて、記録された複数のタイトルの中から、一部のタイトルを推薦するべく、その一部のタイトルを表示する際、前記再生処理によりまだ再生していないシリーズのタイトルをまとめて１タイトルとして表示する方法であって、
前記再生傾向は、分母を「前記タイトルの放送時間」と「前記タイトルの実際の録画時間」のうちの短い方とし、分子を「前記タイトルの総視聴時間」とする式により求める方法。
【請求項１６】
チューナ部で復調した番組信号を記録処理し、
前記記録処理した番組信号を再生処理し、
予約録画情報に基づく予約録画制御を含めた前記記録処理の記録傾向と前記再生処理による再生傾向との少なくとも一方を用いて嗜好情報を生成処理し、
前記予約録画による録画傾向を含む前記生成処理された嗜好情報に応じて、記録された複数のタイトルの中から、一部のタイトルを推薦するべく、その一部のタイトルを表示する際、前記再生処理によりまだ再生していないシリーズのタイトルをまとめて１タイトルとして表示するとともに、推薦の対象とするタイトルを、自動的に削除することが設定されているタイトルに限定する方法。
【請求項１７】
チューナ部で復調した番組信号を記録処理し、
前記記録処理した番組信号を再生処理し、
予約録画情報に基づく予約録画制御を含めた前記記録処理の記録傾向と前記再生処理による再生傾向との少なくとも一方を用いて嗜好情報を生成処理し、
前記予約録画による録画傾向を含む前記生成処理された嗜好情報に応じて、記録された複数のタイトルの中から、一部のタイトルを推薦するべく、その一部のタイトルを表示する際、前記再生処理によりまだ再生していないシリーズのタイトルをまとめて１タイトルとして表示するとともに、前記再生処理が最後に再生した時点からの経過時間が所定値以上のタイトルを、前記経過時間の長い順に表示する方法。
【請求項１８】
チューナ部で復調した番組信号を記録処理し、
前記記録処理した番組信号を再生処理し、
予約録画情報に基づく予約録画制御を含めた前記記録処理の記録傾向と前記再生処理による再生傾向との少なくとも一方を用いて嗜好情報を生成処理し、
前記予約録画による録画傾向を含む前記生成処理された嗜好情報に応じて、記録された複数のタイトルの中から、一部のタイトルを推薦するべく、その一部のタイトルを表示する際、前記再生処理によりまだ再生していないシリーズのタイトルをまとめて１タイトルとして表示するとともに、前記再生処理で途中まで再生したシリーズを推薦する際に、再生したタイトルの次回のタイトルを表示する方法。
【請求項１９】
チューナ部で復調した番組信号を記録処理し、
前記記録処理した番組信号を再生処理し、
予約録画情報に基づく予約録画制御を含めた前記記録処理の記録傾向と前記再生処理による再生傾向との少なくとも一方を用いて嗜好情報を生成処理し、
前記予約録画による録画傾向を含む前記生成処理された嗜好情報に応じて、記録された複数のタイトルの中から、一部のタイトルを推薦するべく、その一部のタイトルを表示する際、前記再生処理によりまだ再生していないシリーズのタイトルをまとめて１タイトルとして表示するとともに、フォルダ状のアイコンを選択することにより、再生を推薦するリストを表示する方法。
【請求項２０】
チューナ部で復調した番組信号を記録処理し、
前記記録処理した番組信号を再生処理し、
予約録画情報に基づく予約録画制御を含めた前記記録処理の記録傾向と前記再生処理による再生傾向との少なくとも一方を用いて嗜好情報を生成処理し、
前記予約録画による録画傾向を含む前記生成処理された嗜好情報に応じて、記録された複数のタイトルの中から、一部のタイトルを推薦するべく、その一部のタイトルを表示する際、前記再生処理によりまだ再生していないシリーズのタイトルをまとめて１タイトルとして表示するとともに、フォルダ状の複数のアイコンを選択可能に表示し、前記複数のアイコン毎に異なる基準により再生すべきタイトルを推薦する方法。
【請求項２１】
前記複数のタイトルの中から一部のタイトルを推薦するべくその一部のタイトルを表示する場合には、前記再生処理によりまだ再生していないシリーズを推薦する際に、その第１話のタイトルを表示する請求項１５乃至２０いずれかに記載の方法。
【請求項２２】
前記複数のタイトルの中から一部のタイトルを推薦するべくその一部のタイトルを表示する場合には、前記再生傾向が所定値以下のタイトルを推薦する請求項１５乃至２０いずれかに記載の方法。
【請求項２３】
前記複数のタイトルの中から一部のタイトルを推薦するべくその一部のタイトルを表示する場合には、前記再生傾向が所定値以上のタイトルを前記再生傾向の程度が高い順に表示する請求項１５乃至２０いずれかに記載の方法。
【請求項２４】
前記複数のタイトルの中から一部のタイトルを推薦するべくその一部のタイトルを表示する場合には、推薦度の高い順にリストを作成する請求項１５乃至２０いずれかに記載の方法。
【請求項２５】
前記複数のタイトルの中から一部のタイトルを推薦するべくその一部のタイトルを表示する場合には、前記表示したタイトルに関して推薦する程度を併せて表示する請求項１５乃至２０いずれかに記載の方法。
【請求項２６】
前記嗜好情報を生成する場合には、嗜好情報として嗜好データベースを持ち、単語とその単語の嗜好ポイント、ジャンルとそのジャンルの嗜好ポイントを保持する請求項１５乃至２０いずれかに記載の方法。
【請求項２７】
前記嗜好情報を生成する場合には、前記タイトルの中や前記タイトルの詳細の中にある単語が嗜好データベース中にあり、その嗜好データベース中の単語のポイントをカウントすることにより前記嗜好情報を生成する請求項１５乃至２０いずれかに記載の方法。
【請求項２８】
前記嗜好情報を生成する場合には、前記タイトルが属するジャンルが嗜好データベース中にあり、その嗜好データベース中のジャンルのポイントをカウントすることにより前記嗜好情報を生成する請求項１５乃至２０いずれかに記載の方法。
【発明の詳細な説明】
【技術分野】
【０００１】
この発明は、電子機器および方法に関し、特にユーザの予約時・再生時の嗜好を検出しこれを反映させて記録済みの番組タイトルの再生を推薦表示する放送記録装置等の電子機器および方法に関する。
【背景技術】
【０００２】
周知のように、ハードディスクレコーダ等の放送記録装置においては、大容量の放送を記録し再生することが可能となってきたために、今度は、多くの記録済みのコンテンツからどのようにユーザの嗜好にあった選択枝をユーザに提供できるかが課題となってきている。
【０００３】
特許文献１には、多チャンネル番組配信において、契約者の好みに合う未契約チャンネルを紹介する技術が開示されている。
【０００４】
しかし上記した特許文献１では、複数チャンネルの番組配信において、ユーザの視聴に合わせてチャンネルを紹介するものである。従って、本発明が課題にしているハードディスクレコーダ等で予約録画された大量の番組コンテンツからいかに適切なコンテンツをユーザに推薦するかという手法について一切述べられていないという問題がある。
【先行技術文献】
【特許文献】
【０００５】
【特許文献１】特開２００１−１５７１９１号公報
【発明の概要】
【発明が解決しようとする課題】
【０００６】
録画済の大量の番組コンテンツからユーザの嗜好に適合した番組コンテンツのタイトルを推薦することができる電子機器および方法を提供することを目的とする。
【課題を解決するための手段】
【０００７】
実施の形態によれば、電子機器は、放送信号を受信し、これを復調して番組信号を出力するチューナ部と、前記チューナ部からの番組信号を記録可能な記録部と、前記記録部で記録した番組信号を再生可能な再生部と、前記記録部の記録処理による記録傾向と、前記再生部の再生処理による再生傾向との少なくとも一方を用いて嗜好情報を生成可能な嗜好検出部と、前記嗜好検出部で生成された嗜好情報に応じて、前記記録部により記録された複数のタイトルの中から、一部のタイトルを推薦するべく、その一部のタイトルを表示するように制御するもので、前記再生部でまだ再生していないシリーズのタイトルをまとめて１タイトルとして表示するように制御する再生推薦部とを具備し、前記再生傾向は、「タイトルの放送時間」と「タイトルの実際の録画時間」のうちの少なくとも一方と、「タイトルの総視聴時間」を用いて求める。
【図面の簡単な説明】
【０００８】
【図１】実施の形態に係る放送記録装置の構成の一例を示すブロック図。
【図２】実施の形態に係る放送記録装置において、再生推薦のアイコン表示の動作の一例を示すフローチャート。
【図３】実施の形態に係る放送記録装置において、タイトルのデータベースのデータ構造の一例を示す説明図。
【図４】実施の形態に係る放送記録装置において、嗜好データベースのタイトルのデータ構造の一例を示す説明図。
【図５】実施の形態に係る放送記録装置において、ジャンルデータベースのデータ構造の一例を示す説明図。
【図６】実施の形態に係る放送記録装置において、ユーザ嗜好に応じた各タイトルの再生推薦度計算方法の一例を示すフローチャート。
【図７】実施の形態に係る放送記録装置において、再生度に応じた各タイトルの再生推薦度計算方法の一例を示すフローチャート。
【図８】実施の形態に係る放送記録装置において、再生推薦のアイコン表示の一例を示す図。
【図９】実施の形態に係る放送記録装置において、再生推薦のリスト表示の一例を示す図。
【発明を実施するための形態】
【０００９】
以下、実施の形態について図面を参照して詳細に説明する。
【００１０】
＜実施の形態に係る放送記録装置＞
（構成）
初めに、図１は、実施の形態に係る放送記録装置の構成の一例を示すブロック図である。図１の放送記録装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１１】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、放送記録装置１０は、エンコーダ部２１と、エンコーダ部２１の出力を受け、データ編集等の所望のデータ処理を行うデータ編集部２０、データ編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、予約録画部・嗜好検出部・再生推薦部４２、予約リストや番組表画像を生成する番組表生成部４３、を有している。これらの各部は、データバスを介して制御部３０に接続されている。更に、セレクタ部１７の出力は、外部の受像機４１に接続されるか、外部装置との通信を行うインタフェース部２７を介して、外部装置に供給される。
【００１２】
更に、放送記録装置１０は、データバスを介して制御部３０に接続され、ユーザの操作やリモコンＲの操作を受ける操作部３２を有している。ここで、リモコンは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１３】
（動作）
・基本動作
このような構成の放送記録装置１０において、光ディスクに例を取って、再生処理と記録処理の概要を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１４】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００１５】
・記録処理等
次に、このような構成を有する放送記録装置１０の動作を、更に詳細に説明する。初めに、主に記録時の動作について、他の実施の形態も含めて詳細に説明する。放送記録装置１０の入力側として、ＬＡＮ等の通信部１１は、外部機器と接続して、例えばモデムＭ等を介しインターネット等の通信路を経由して番組情報提供サーバＳ等と通信を行ったり、コンテンツ情報等をダウンロードしたりする。又、ＢＳ／ＣＳチューナ部１２、地上波チューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部や、ＢＳ／ＣＳチューナ部を２つ又は３つ以上を有し、予約録画の要求に応じて平行して機能させる場合も含んでいる。
【００１６】
又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００１７】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００１８】
又、ＢＳ／ＣＳチューナ１２等は、必ずしも内蔵されている必要はなく、データ入力端子を介して外付けされて、受信したデジタル信号をセレクタ部１６を介してエンコーダ部２１や制御部３０に供給することも好適である。
【００１９】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８、又は、光ディスクＤに記録された情報を、制御部３０、光ディスクドライブ部１９を介して光ディスクＤ、又は、ハードディスクドライブ部１８に記録することもできる。
【００２０】
・編集処理等
データ編集部２０により、ハードディスクドライブ部１８又は光ディスクＤに記録されている複数番組のビデオ・オブジェクトを、一部削除したり、異なる番組のオブジェクトをつなげたり、といった編集処理を行うこともできる。
【００２１】
・再生処理等  
次に、主に記録された情報の再生処理について、他の実施の形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２２】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２３】
・予約録画処理
次に、通信部１１等から取得した電子番組情報に基づいて、ユーザのリモコンＲ等の操作により特定した番組に応じて、録画予約処理が可能である。予約された予約録画情報に基づいて、制御部３０及び予約録画部４２の働きにより、予約時刻になると、ＢＳ／ＣＳチューナ部１２又は地上波チューナ部１３が受信した番組情報が復調された映像音声信号が、エンコーダ２１等のエンコード処理を経て、例えば、ハードディスクドライブ１８に記録（予約録画）される。
【００２４】
この実施の形態の放送記録装置１０は、このように総合的な機能を有するものであり、多くのソースに対して光ディスクＤ又はハードディスクドライブ部１８による記録・再生処理を行うものである。次に、この放送記録装置１０の予約録画処理について、図面を用いて詳細に説明する。
【００２５】
＜実施の形態である放送記録装置の再生タイトル推薦機能の一例＞
次に、この放送記録装置１０の特に嗜好検出結果を用いた再生タイトル推薦機能をフローチャートを用いて以下に詳細に説明する。
【００２６】
ここで、図２は、実施の形態に係る放送記録装置において、再生推薦のアイコン表示の動作の一例を示すフローチャートである。図３は、実施の形態に係る放送記録装置において、タイトルのデータベースのデータ構造の一例を示す説明図である。図４は、実施の形態に係る放送記録装置において、嗜好データベースのタイトルのデータ構造の一例を示す説明図である。図５は、実施の形態に係る放送記録装置において、ジャンルデータベースのデータ構造の一例を示す説明図である。図６は、実施の形態に係る放送記録装置において、ユーザ嗜好に応じた各タイトルの再生推薦度計算方法の一例を示すフローチャートである。図７は、実施の形態に係る放送記録装置において、再生度に応じた各タイトルの再生推薦度計算方法の一例を示すフローチャートである。図８は、実施の形態に係る放送記録装置において、再生推薦のアイコン表示の一例を示す図である。図９は、実施の形態に係る放送記録装置において、再生推薦のリスト表示の一例を示す図である。
【００２８】
（概要）
再生タイトル推薦機能とは、予約処理・再生処理の操作履歴に現れるユーザの嗜好を考慮して、記録済みのタイトルから再生推薦タイトルをリスト表示することで、ユーザは興味がある番組を容易に見つけることができる機能である。
【００２９】
（動作）  
初めに、図２のフローチャートにおいて、図１の予約録画部・嗜好検出部・再生推薦部４２の働きによって、予約録画の際の選択されるタイトルの録画傾向と、ユーザにより再生が選択されるタイトルの再生傾向とから、嗜好データベースを生成する（ステップＳ１１）。
【００３０】
具体的には、図３に示すように、予約録画部・嗜好検出部・再生推薦部４２の働きによって、予約録画の際の選択されるタイトルの録画傾向や、ユーザにより再生が選択されるタイトルの再生傾向として、図３のように、録画予約の際（又は再生処理の際）に用いられた単語、“音楽”等に例えば３ポイントを与える。同様に、図４のように、録画予約の際（又は再生処理の際）に用いられたジャンルを識別する単語、“邦楽”等に例えば２０ポイントを与える。すなわち、ユーザの操作情報として、タイトル名やタイトルの詳細内容からの単語やジャンルについて、ポイントを加算することで、そのユーザが何を望んでいるかを意味する嗜好データベースを生成するものである。なお、予約録画を例に説明したが、予約録画に限らず、現在放映中の番組をリモコン操作等によって録画した場合のタイトルについても、嗜好のサンプルとしてデータベース化する。
【００３１】
次に、ユーザにより操作部３２等により推薦表示モードが選択されていれば（ステップＳ１２）、予約録画部・嗜好検出部・再生推薦部４２の働きによって、タイトルの推薦度の計算処理がなされる。
【００３２】
すなわち、予約録画部・嗜好検出部・再生推薦部４２の働きによって、現在、ハードディスクドライブ部１８等により保存されている複数のタイトルについて、上述した嗜好データベースに基づいて判断することにより、各タイトルの推薦度を計算する（ステップＳ１３）。例えば、一つのタイトルは、図５に示すように、タイトルＩＤ、タイトル名、詳細内容、ジャンル、録画時間、番組時間、総視聴時間等の情報をもっている。
【００３３】
ここで、図６を用いて、各タイトルの推薦度の計算方法の一例を説明する。図６において、嗜好検出部・再生推薦部４２の働きにおいて、推薦ポイントを“０”として初期化する（ステップＳ１１）。そして、再生度計算が開始される（ステップＳ１２）。嗜好検出部４２の働きにより行なわれる再生度の計算とは、分母を「番組の放送時間（ＥＰＧ上）」と「実際の録画時間」の短い方、分子をタイトルの「総視聴時間」とする割合であらわすものである。例えば、放送予定６０分の番組が野球延長機能のために９０分録画され、そのタイトルのこれまでの総視聴時間が３０分であるとすると、再生度は３０分/６０分なので５０％の評価となる。
【００３４】
次に、この再生度が一定（例えば４０％）以上であると判断されれば（ステップＳ１３）、予約録画等により与えられたタイトル情報の推薦ポイントを計算する。すなわち、ジャンルデータベースからジャンルの嗜好ポイントを取得し、推薦ポイントとして加算する（ステップＳ１４）。又、タイトル名から単語を一つだけ抽出して（ステップＳ１５）、嗜好データベース中に単語登録があるかどうかを判断する（ステップＳ１６）。存在すれば、嗜好データベースからポイント数を例えば３ポイント等と取得し（ステップＳ１７）、単語のポイントを推薦ポイントとして加算する（ステップＳ１８）。そして、タイトル名の文末に達するまでこの処理を反復する（ステップＳ１９）。又、番組内容についても、タイトル名と同様の方法によって、ポイントを加算して、そのタイトルの推薦ポイントを図５のＮｏ．１０のように、例えば１００ポイント等のように算出するものである（ステップＳ２０）。
【００３５】
一方、図７のフローチャートのように再生度の高い順に計算する方法も可能である。すなわち、嗜好検出部・再生推薦部４２の働きにおいて、推薦ポイントを“０”として初期化して（ステップＳ３１）、再生度計算が開始される（ステップＳ３２）。嗜好検出部４２の働きにより行なわれる再生度の計算とは、分母を「番組の放送時間（ＥＰＧ上）」と「実際の録画時間」の短い方、分子をタイトルの「総視聴時間」とする割合であらわすものである。例えば、放送予定６０分の番組が野球延長機能のために９０分録画され、そのタイトルのこれまでの総視聴時間が３０分であるとすると、再生度は３０分／６０分なので５０％の評価となる。次に、この再生度が一定（例えば４０％）以上であると判断されれば（ステップＳ３３）、推薦ポイントを再生度として決定するものである（ステップＳ３４）。
【００３６】
・推薦タイトル表示方法
最後に推薦タイトル表示方法であるが、以下に述べるように様々な方法が可能となる。すなわち、このように求めた各タイトルの推薦度に応じて、例えば、予め定めた推薦度と比較し、この値に達しないタイトルを非表示にしたり、この値以上の推薦度をもつタイトルを推薦度の高さに応じて順序を変更して表示する（ステップＳ１４）。
【００３７】
一例として、図８のサムネイル一覧において、再生推薦（おすすめ）ホルダＨ１と、よく見るタイトルホルダＨ２等が表示され、ここで、再生推薦（おすすめ）ホルダＨ１が選択されれば、図９のように、推薦度が高い順番に配列されたタイトルＴ１乃至Ｔ６が表示されるものである。
【００３８】
この表示方法においては、以下のような様々な変形例が可能である。  
すなわち、上記の場合とは逆に、再生度の低い（例：１０％未満）タイトルのみを推薦することも好適である。こうすることで、ユーザが視聴し残しているものを効率的に視聴することができる。
【００３９】
又、再生度が一定以上のタイトルを、再生度の高い順に表示する、つまりよく見るタイトルを全面に出すという方法も好適である。
【００４０】
又、推薦対象のタイトルを、自動削除が設定されているタイトルに限定することも好適である。こうすることで、削除されてしまうタイトルに視聴の機会を積極的に与えることができる。
【００４１】
又、最終アクセス時間（最後に録画や再生、編集などのタイトルに対する操作を行ってからの経過時間）を考慮して推薦を行っても良い。すなわち、最終アクセス時間が長いものは忘れられている危険があるため、優先的に表示させることで、ユーザが見逃すことが無いように再生を推薦するものである。
【００４２】
又、上記のいずれかの推薦度の計算を行い、その推薦度の高い順に番組リストを作成することも好適である。  
ここで、シリーズの一部を推薦する場合、まだ見ていないシリーズはまとめて１タイトル（シリーズ）として推薦することが好適である。  
又、まだ見ていないシリーズは第１話のタイトルを推薦することも好適である。
【００４３】
又、途中まで見たシリーズは次回の話数のタイトルを推薦することも好適である。
【００４４】
又、推薦のポイント計算、又は、推薦タイトルとしてシリーズの概念を考慮して処理を行なうことも好適である。
【００４５】
又、タイトルの推薦の表示形式として、  
図８に示すように、フォルダのようなアイコンＨ１，Ｈ２を選択すると、図９に示すような再生推薦リストを表示することが好適である。  
又、フォルダのようなアイコンＨ１，Ｈ２を図８に示すように複数表示することで、アイコンごとに異なる基準により、タイトルの再生推薦を行なうことが好適である。これにより、例えば、アイコンＨ１（お薦めのタイトル）やアイコンＨ２（単によく見るタイトル）のように、いろいろな基準のタイトルリストを表示することができる。
【００４６】
又、図９に示すように、タイトルを推薦度の程度順に一覧表示することが好適である。
【００４７】
又、推薦条件を満たさないタイトルは一覧に表示しない（絞り込んで表示する）ことが好適である。
【００４８】
又、図８及び図９に示すように、タイトルの推薦度を星や王冠などの記号の数で表現することにより、推薦の程度をユーザに知らせることが好適である。
【００４９】
又、図９の再生推薦リストから、ユーザの操作によりこれらのタイトルを選択することで、制御部３０等の働きによりタイトルの再生を開始することが好適である。
【００５０】
以上記載した様々な実施の形態により、当業者は本発明を実現することができるが、更にこれらの実施の形態の様々な変形例を思いつくことが当業者によって容易であり、発明的な能力をもたなくとも様々な実施の形態へと適用することが可能である。従って、本発明は、開示された原理と新規な特徴に矛盾しない広範な範囲に及ぶものであり、上述した実施の形態に限定されるものではない。
【符号の説明】
【００５１】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、Ｒ…リモコン、４２…予定録画部・再生推薦部、４３…番組表生成部。
【図１】
0005559238.tif 000002
【図２】
0005559238.tif 000003
【図３】
0005559238.tif 000004
【図４】
0005559238.tif 000005
【図５】
0005559238.tif 000006
【図６】
0005559238.tif 000007
【図７】
0005559238.tif 000008
【図８】
0005559238.tif 000009
【図９】
0005559238.tif 000010